(57)【特許請求の範囲】
【請求項１】
記録媒体に記録されたデータの読取りおよび／または記録媒体へのデータの書込みを行う記録再生ヘッドと、前記記録再生ヘッドに接続されるフレキシブルケーブルとを備え、
前記フレキシブルケーブルは、前記記録再生ヘッドからのデータ信号および／または前記記録再生ヘッドへのデータ信号を伝えるデータ信号パターンが形成されるデータ信号層と、前記データ信号層の表面および裏面を覆うとともに自身が断線したことを検知するための断線検知信号を伝える断線検知信号パターンが形成される断線検知信号層とを有する多層構造に形成され、かつ、
前記フレキシブルケーブルは、前記記録再生ヘッドの信号端子が挿通されるスルーホールが形成される端子接続部と、前記端子接続部を覆うように折り返されて前記端子接続部に固定される端子覆部とを備えることを特徴とする媒体処理装置。
【請求項２】
前記フレキシブルケーブルは、一方向へ細長い長尺状に形成され、
前記端子覆部は、前記フレキシブルケーブルの長手方向で前記端子接続部に繋がるように形成されていることを特徴とする請求項１記載の媒体処理装置。
【請求項３】
前記フレキシブルケーブルは、前記フレキシブルケーブルの幅方向で前記端子接続部に繋がるように形成され、前記端子覆部を覆うように折り返されて前記端子覆部に固定される外側覆部を備えることを特徴とする請求項２記載の媒体処理装置。
【請求項４】
前記フレキシブルケーブルは、前記外側覆部を覆う第２の外側覆部を備え、
前記外側覆部は、前記フレキシブルケーブルの幅方向における前記端子接続部の一端に繋がるように形成され、
前記第２の外側覆部は、前記フレキシブルケーブルの幅方向における前記端子接続部の他端に繋がるように形成され、前記外側覆部を覆うように折り返されて前記外側覆部に固定されていることを特徴とする請求項３記載の媒体処理装置。
【請求項５】
前記第２の外側覆部は、前記外側覆部に半田付けされて固定されていることを特徴とする請求項４記載の媒体処理装置。
【請求項６】
前記断線検知信号層には、前記断線検知信号の入力側の前記断線検知信号パターンである第１断線検知信号パターンと、前記断線検知信号の出力側の前記断線検知信号パターンである第２断線検知信号パターンとが形成され、
前記外側覆部および前記第２の外側覆部には、前記第１断線検知信号パターンと前記第２断線検知信号パターンとを繋げるためのランドが形成され、
前記第２の外側覆部の前記ランドが前記外側覆部の前記ランドに半田付けされることで、前記第２の外側覆部が前記外側覆部に固定され、
前記第２の外側覆部の前記ランドが前記外側覆部の前記ランドに半田付けされると、前記第１断線検知信号パターンと前記第２断線検知信号パターンとが繋がることを特徴とする請求項５記載の媒体処理装置。
【請求項７】
前記フレキシブルケーブルは、一方向へ細長い長尺状に形成され、
前記断線検知信号パターンは、前記フレキシブルケーブルの幅方向で複数回折り返されて形成されていることを特徴とする請求項１から６のいずれかに記載の媒体処理装置。
【請求項８】
前記断線検知信号層には、前記断線検知信号パターンとの間の短絡を検知するための短絡検知信号を伝える短絡検知信号パターンが形成されていることを特徴とする請求項１から７のいずれかに記載の媒体処理装置。
【請求項９】
前記フレキシブルケーブルが接続されるコネクタを備え、
前記断線検知信号パターンは、前記コネクタからの前記フレキシブルケーブルの抜けを検知する機能を果たしていることを特徴とする請求項１から８のいずれかに記載の媒体処理装置。
【請求項１０】
前記記録再生ヘッドは、磁気データの読取りおよび／または磁気データの書込みを行う磁気ヘッドであることを特徴とする請求項１から９のいずれかに記載の媒体処理装置。
【請求項１１】
データ信号を伝えるデータ信号パターンが形成されるデータ信号層と、前記データ信号層の表面および裏面を覆うとともに自身が断線したことを検知するための断線検知信号を伝える断線検知信号パターンが形成される断線検知信号層とを有する多層構造に形成され、かつ、
記録媒体に記録されたデータの読取りおよび／または記録媒体へのデータの書込み行う記録再生ヘッドの信号端子が挿通されるスルーホールが形成される端子接続部と、前記端子接続部を覆うように折り返されて前記端子接続部に固定される端子覆部とを備えることを特徴とするフレキシブルケーブル。
【発明の詳細な説明】
【技術分野】
【０００１】
本発明は、記録媒体に記録されたデータの読取りおよび／または記録媒体へのデータの書込みを行う媒体処理装置に関する。また、本発明は、記録媒体に記録されたデータの読取りおよび／または記録媒体へのデータの書込みを行う媒体処理装置に用いられるフレキシブルケーブルに関する。
【背景技術】
【０００２】
従来、カードに記録された磁気データを読み取るカードリーダが広く利用されている。この種のカードリーダでは、たとえば、カードが通過するカード通過路に配置された磁気ヘッドによって、カードに記録された磁気データが読み取られている。また、カードリーダが利用される業界においては、従来、犯罪者が磁気ヘッド等に信号線を取り付けて、カードに記録された磁気情報を不正に取得するいわゆるスキミングが大きな問題となっている。
【０００３】
そこで、従来、このスキミングを防止することが可能な磁気ヘッドおよびフレキシブルケーブルが提案されている（たとえば、特許文献１参照）。特許文献１では、磁気ヘッドのヘッドケースの内部において、磁気ヘッドの信号端子とフレキシブルケーブルとが接続されており、信号端子とフレキシブルケーブルとの接続部分を覆うように、ヘッドケースの内部に樹脂が充填されている。また、特許文献１では、信号端子に接続されるフレキシブルケーブルにおいて、磁気ヘッドからのデータ信号が送られる導線が形成された信号配線層の上下両面は、保護層によって覆われており、保護層には、断線検出機能を有する断線検出配線と、短絡検出配線とが形成されている。
【０００４】
そのため、特許文献１に記載の技術を用いれば、磁気ヘッドの信号端子、および、フレキシブルケーブルの導線にスキミング用の信号線が取り付けられるのを防止することが可能になり、その結果、スキミングを防止することが可能になる。
【先行技術文献】
【特許文献】
【０００５】
【特許文献１】特開２００８−２９３６２８号公報
【発明の概要】
【発明が解決しようとする課題】
【０００６】
一般に、磁気ヘッドでは、信号端子の端部は外部に露出している。一方で、特許文献１に記載の磁気ヘッドでは、ヘッドケースの内部で信号端子とフレキシブルケーブルとが接続されるようにヘッドケースの内部に信号端子が収容されている。すなわち、特許文献１に記載の磁気ヘッドは、特殊な構造をしている。そのため、この磁気ヘッドは高価である。また、特許文献１に記載の磁気ヘッドでは、作業のやりにくいヘッドケースの内部で、信号端子にフレキシブルケーブルを接続しなければならないため、信号端子へのフレキシブルケーブルの接続作業が煩雑になる。
【０００７】
そこで、本発明の課題は、記録媒体に記録されたデータの読取りや記録媒体へのデータの書込みを行う記録再生ヘッドのコストを低減することが可能になるとともに、記録再生ヘッドの信号端子へのフレキシブルケーブルの接続作業を容易に行うことが可能で、かつ、スキミング等のデータの不正取得を防止することが可能な媒体処理装置を提供することにある。また、本発明の課題は、接続される記録再生ヘッドのコストを低減することが可能であるとともに、記録再生ヘッドの信号端子への接続作業を容易に行うことが可能で、かつ、スキミング等のデータの不正取得を防止することが可能となるフレキシブルケーブルを提供することにある。
【課題を解決するための手段】
【０００８】
上記の課題を解決するため、本発明の媒体処理装置は、記録媒体に記録されたデータの読取りおよび／または記録媒体へのデータの書込みを行う記録再生ヘッドと、記録再生ヘッドに接続されるフレキシブルケーブルとを備え、フレキシブルケーブルは、記録再生ヘッドからのデータ信号および／または記録再生ヘッドへのデータ信号を伝えるデータ信号パターンが形成されるデータ信号層と、データ信号層の表面および裏面を覆うとともに自身が断線したことを検知するための断線検知信号を伝える断線検知信号パターンが形成される断線検知信号層とを有する多層構造に形成され、かつ、フレキシブルケーブルは、記録再生ヘッドの信号端子が挿通されるスルーホールが形成される端子接続部と、端子接続部を覆うように折り返されて端子接続部に固定される端子覆部とを備えることを特徴とする。
【０００９】
本発明の媒体処理装置では、記録再生ヘッドの信号端子が挿通されるスルーホールが形成された端子接続部を覆うように、端子覆部が折り返されて端子接続部に固定されている。そのため、記録再生ヘッドの外部に信号端子の端部が露出していても、端子覆部によって信号端子を覆うことが可能になる。したがって、記録再生ヘッドの信号端子へのデータ不正取得用の信号線の取付を防止することが可能になる。また、本発明のフレキシブルケーブルでは、データ信号パターンが形成されるデータ信号層の表面および裏面は、断線検知信号パターンが形成される断線検知信号層によって覆われている。そのため、犯罪者がデータ信号パターンへデータ不正取得用の信号線を取り付けようとしたときに、犯罪行為が行われていることを断線検知信号パターンを用いて検知することが可能になる。したがって、本発明では、フレキシブルケーブルのデータ信号パターンへのデータ不正取得用の信号線の取付を防止することが可能になる。このように、本発明では、記録再生ヘッドの信号端子およびデータ信号パターンへのデータ不正取得用の信号線の取付を防止することが可能になるため、スキミング等のデータの不正取得を防止することが可能になる。
【００１０】
また、本発明では、記録再生ヘッドの外部に信号端子の端部が露出していても、データの不正取得を防止することが可能になるため、外部に信号端子の端部が露出している標準的な記録再生ヘッド（すなわち、記録再生ヘッドの汎用品）を使用しても、データの不正取得を防止することが可能になる。したがって、本発明では、記録再生ヘッドのコストを低減することが可能になる。また、本発明では、記録再生ヘッドの外部に信号端子の端部が露出していても、データの不正取得を防止することが可能になるため、データの不正取得を防止しつつ、信号端子へのフレキシブルケーブルの接続作業を容易に行うことが可能になる。
【００１１】
本発明において、フレキシブルケーブルは、一方向へ細長い長尺状に形成され、端子覆部は、フレキシブルケーブルの長手方向で端子接続部に繋がるように形成されていることが好ましい。このように構成すると、フレキシブルケーブルの幅方向で端子接続部に繋がるように端子覆部が形成されている場合と比較して、フレキシブルケーブルの構成を簡素化することが可能になる。
【００１２】
本発明において、フレキシブルケーブルは、フレキシブルケーブルの幅方向で端子接続部に繋がるように形成され、端子覆部を覆うように折り返されて端子覆部に固定される外側覆部を備えることが好ましい。このように構成すると、フレキシブルケーブルの幅方向における端子接続部の端面および端子覆部の端面を外側覆部で覆うことが可能になる。したがって、フレキシブルケーブルの幅方向における端子接続部の端面と端子覆部の端面との間からフレキシブルケーブルの信号端子にデータ不正取得用の信号線が取り付けられるのを、外側覆部によって防止することが可能になる。
【００１３】
本発明において、フレキシブルケーブルは、外側覆部を覆う第２の外側覆部を備え、外側覆部は、フレキシブルケーブルの幅方向における端子接続部の一端に繋がるように形成され、第２の外側覆部は、フレキシブルケーブルの幅方向における端子接続部の他端に繋がるように形成され、外側覆部を覆うように折り返されて外側覆部に固定されていることが好ましい。このように構成すると、フレキシブルケーブルの幅方向の両側において、端子接続部の端面および端子覆部の端面を外側覆部および第２の外側覆部で覆うことが可能になる。したがって、フレキシブルケーブルの幅方向の両側において、端子接続部の端面と端子覆部の端面との間から信号端子にデータ不正取得用の信号線が取り付けられるのを、外側覆部および第２の外側覆部によって防止することが可能になる。
【００１４】
本発明において、第２の外側覆部は、外側覆部に半田付けされて固定されていることが好ましい。このように構成すると、外側覆部から第２の外側覆部を剥がしにくくなる。したがって、端子接続部の端面と端子覆部の端面との間から信号端子にデータ不正取得用の信号線が取り付けられるのを効果的に防止することが可能になる。
【００１５】
本発明において、断線検知信号層には、断線検知信号の入力側の断線検知信号パターンである第１断線検知信号パターンと、断線検知信号の出力側の断線検知信号パターンである第２断線検知信号パターンとが形成され、外側覆部および第２の外側覆部には、第１断線検知信号パターンと第２断線検知信号パターンとを繋げるためのランドが形成され、第２の外側覆部のランドが外側覆部のランドに半田付けされることで、第２の外側覆部が外側覆部に固定され、第２の外側覆部のランドが外側覆部のランドに半田付けされると、第１断線検知信号パターンと第２断線検知信号パターンとが繋がることが好ましい。この場合には、外側覆部から第２の外側覆部が剥がされると、第２の外側覆部のランドが外側覆部のランドから離れるため、外側覆部から第２の外側覆部が剥がされたときに、断線検知信号パターンの断線を検知することが可能になる。したがって、犯罪者による犯罪行為を早期に検知することが可能になる。
【００１６】
本発明において、フレキシブルケーブルは、一方向へ細長い長尺状に形成され、断線検知信号パターンは、フレキシブルケーブルの幅方向で複数回折り返されて形成されていることが好ましい。このように構成すると、データ不正取得用の信号線をデータ信号パターンに取り付けようとして、断線検知信号層を切ったときに、断線検知信号パターンが断線しやすくなる。したがって、犯罪者による犯罪行為を検知しやすくなる。
【００１７】
本発明において、断線検知信号層には、断線検知信号パターンとの間の短絡を検知するための短絡検知信号を伝える短絡検知信号パターンが形成されていることが好ましい。このように構成すると、断線検知信号が機能しないようにするために犯罪者が断線検知信号パターンに所定の細工を行った場合に、短絡検知信号パターンの短絡検知機能によって、犯罪行為が行われていることを検知することが可能になる。
【００１８】
本発明において、媒体処理装置は、フレキシブルケーブルが接続されるコネクタを備え、断線検知信号パターンは、コネクタからのフレキシブルケーブルの抜けを検知する機能を果たしていることが好ましい。このように構成すると、犯罪者がデータ不正取得用の信号線をデータ信号パターンに取り付けようとして、フレキシブルケーブルをコネクタから引き抜いた場合に、断線検知信号パターンの抜け検知機能によって、犯罪行為が行われていることを検知することが可能になる。したがって、犯罪者による犯罪行為を早期に検知することが可能になる。
【００１９】
本発明において、記録再生ヘッドは、たとえば、磁気データの読取りおよび／または磁気データの書込みを行う磁気ヘッドである。
【００２０】
また、上記の課題を解決するため、本発明のフレキシブルケーブルは、データ信号を伝えるデータ信号パターンが形成されるデータ信号層と、データ信号層の表面および裏面を覆うとともに自身が断線したことを検知するための断線検知信号を伝える断線検知信号パターンが形成される断線検知信号層とを有する多層構造に形成され、かつ、記録媒体に記録されたデータの読取りおよび／または記録媒体へのデータの書込み行う記録再生ヘッドの信号端子が挿通されるスルーホールが形成される端子接続部と、端子接続部を覆うように折り返されて端子接続部に固定される端子覆部とを備えることを特徴とする。
【００２１】
本発明のフレキシブルケーブルは、記録再生ヘッドの信号端子が挿通されるスルーホールが形成された端子接続部を覆うように折り返されて端子接続部に固定される端子覆部を備えている。そのため、接続される記録再生ヘッドの外部に信号端子の端部が露出していても、端子覆部によって信号端子を覆うことが可能になる。したがって、接続される記録再生ヘッドの信号端子へのデータ不正取得用の信号線の取付を防止することが可能になる。また、本発明では、データ信号パターンが形成されるデータ信号層の表面および裏面は、断線検知信号パターンが形成される断線検知信号層によって覆われている。そのため、データ信号パターンへのデータ不正取得用の信号線の取付を防止することが可能になる。したがって、本発明では、スキミング等のデータの不正取得を防止することが可能になる。
【００２２】
また、本発明では、接続される記録再生ヘッドの外部に信号端子の端部が露出していても、データの不正取得を防止することが可能になるため、外部に信号端子の端部が露出している標準的な記録再生ヘッドを使用しても、データの不正取得を防止することが可能になる。したがって、本発明では、接続される記録再生ヘッドのコストを低減することが可能になる。また、本発明では、接続される記録再生ヘッドの外部に信号端子の端部が露出していても、データの不正取得を防止することが可能になるため、データの不正取得を防止しつつ、信号端子への接続作業を容易に行うことが可能になる。
【発明の効果】
【００２３】
以上のように、本発明の媒体処理装置では、スキミング等のデータの不正取得を防止しつつ、記録再生ヘッドのコストを低減することが可能になるとともに、記録再生ヘッドの信号端子へのフレキシブルケーブルの接続作業を容易に行うことが可能になる。また、本発明のフレキシブルケーブルでは、スキミング等のデータの不正取得を防止しつつ、接続される記録再生ヘッドのコストを低減することが可能になるとともに、記録再生ヘッドの信号端子への接続作業を容易に行うことが可能になる。
【図面の簡単な説明】
【００２４】
【図１】本発明の実施の形態にかかる媒体処理装置の概略構成を説明するための側面図である。
【図２】図１に示す磁気ヘッドとフレキシブルケーブルとの接続部分を説明するための側面図である。
【図３】図１に示すフレキシブルケーブルの展開図である。
【図４】図１に示す磁気ヘッドへのフレキシブルケーブルの取付手順を示す斜視図である。
【図５】図３のＥ−Ｅ断面の断面図である。
【図６】図１に示すフレキシブルケーブル内の信号パターンの接続関係を示すブロック図である。
【発明を実施するための形態】
【００２５】
以下、図面を参照しながら、本発明の実施の形態を説明する。
【００２６】
（媒体処理装置の概略構成）
図１は、本発明の実施の形態にかかる媒体処理装置１の概略構成を説明するための側面図である。
【００２７】
本形態の媒体処理装置１は、記録媒体であるカード２に記録されたデータの読取りやカード２へのデータの書込みを行うカードリーダである。具体的には、媒体処理装置１は、ユーザが手動でカード２を装置内部に挿入するとともに装置内部から抜き取るいわゆるディップ式のカードリーダである。この媒体処理装置１は、所定の上位装置に搭載されて使用される。
【００２８】
媒体処理装置１は、カード２に記録された磁気データの読取りを行う記録再生ヘッドとしての磁気ヘッド３と、磁気ヘッド３に接続されるフレキシブルケーブル４とを備えている。また、媒体処理装置１は、カード２に形成される接触端子に接触してデータのやりとりを行うＩＣ接点５を備えている。媒体処理装置１の内部には、カード２が通過するカード通過路８が形成されている。
【００２９】
カード２は、たとえば、厚さが０．７〜０．８ｍｍ程度の矩形状の塩化ビニール製のカードである。このカード２の一方の面には、磁気データが記録される磁気ストライプが形成されている。また、カード２の他方の面には、ＩＣ接点５が接触する接触端子が形成されている。すなわち、本形態のカード２は、磁気ストライプ付きの接触式ＩＣカードである。なお、カード２には、通信用のアンテナが内蔵されても良い。すなわち、カード２は、磁気ストライプ付きの非接触式ＩＣカードであっても良い。また、カード２は、厚さが０．１８〜０．３６ｍｍ程度のＰＥＴ（ポリエチレンテレフタレート）カードであっても良いし、所定の厚さの紙カード等であっても良い。
【００３０】
磁気ヘッド３は、その磁気ギャップがカード通過路８に臨むように配置されている。本形態では、ユーザが装置内部へカード２を差し込む際、あるいは、装置内部に差し込まれたカード２を引き抜く際に、磁気ヘッド３によって、カード２の磁気データが読み取られる。フレキシブルケーブル４の一端側は、磁気ヘッド３に接続され、フレキシブルケーブル４の他端側は、媒体処理装置１が搭載される上位装置に設けられたコネクタ（図示省略）に接続されている。このコネクタは、上位装置の、セキュリティ性が確保された領域に実装されている。磁気ヘッド３およびフレキシブルケーブル４の構成については後述する。
【００３１】
ＩＣ接点５は、媒体処理装置１の奥端側に配置されており、ＩＣ接点ブロック９に固定されている。ＩＣ接点ブロック９には、レバー部材１０と、カード２の挿入側に向かってＩＣ接点ブロック９を付勢する引張りコイルバネ（図示省略）とが取り付けられている。本形態では、ＩＣ接点ブロック９の奥端に形成されるカード当接部９ａにカード２が当接すると、レバー部材１０が回動して、ＩＣ接点５がカード２に形成される接触端子に接触するように、ＩＣ接点ブロック９が移動する。カード２の接触端子にＩＣ接点５が接触すると、媒体処理装置１とカード２との間で、データのやりとりが行われる。また、この状態でカード２が引き抜かれると、引張りコイルバネの付勢力で、ＩＣ接点ブロック９が移動して、ＩＣ接点５がカード通過路８から退避する。
【００３２】
（磁気ヘッドおよびフレキシブルケーブルの構成）
図２は、図１に示す磁気ヘッド３とフレキシブルケーブル４との接続部分を説明するための側面図である。図３は、図１に示すフレキシブルケーブル４の展開図である。図４は、図１に示す磁気ヘッド３へのフレキシブルケーブル４の取付手順を示す斜視図である。図５は、図３のＥ−Ｅ断面の断面図である。図６は、図１に示すフレキシブルケーブル４内の信号パターンの接続関係を示すブロック図である。
【００３３】
磁気ヘッド３は、図示を省略するコア、コイルおよびボビンを備えている。コア、コイルおよびボビンは、ヘッドケース１５の内部に収容されている。コイルの端部は、信号端子１６の一端側に電気的に接続され、固定されている。コア、コイル、ボビンおよび信号端子１６の一端側は、ヘッドケース１５の内部に充填される樹脂で覆われている。本形態の磁気ヘッド３は、３チャンネル型の磁気ヘッドであり、６本の信号端子１６を備えている。信号端子１６の他端側は、ヘッドケース１５から突出しており、磁気ヘッド３の外部に露出している。
【００３４】
フレキシブルケーブル４は、一方向へ細長い長尺状に形成されている。このフレキシブルケーブル４は、図２〜図４に示すように、信号端子１６が挿通されるスルーホール１８が形成される端子接続部４ａと、端子接続部４ａを覆うように折り返されて端子接続部４ａに固定される端子覆部としての折返し部４ｂと、折返し部４ｂを覆うように折り返されて折返し部４ｂに固定される外側覆部としての第１折畳み部４ｃと、第１折畳み部４ｃを覆うように折り返されて第１折畳み部４ｃに固定される第２の外側覆部としての第２折畳み部４ｄとを備えている。また、フレキシブルケーブル４の長手方向の一端側には、上位装置のコネクタに接続される接続端子部１９が形成されている。
【００３５】
端子接続部４ａは、フレキシブルケーブル４の長手方向の他端側に形成されている。端子接続部４ａには、磁気ヘッド３が有する６本の信号端子１６に対応するように、６個のスルーホール１８が形成されている。折返し部４ｂは、フレキシブルケーブル４の長手方向で端子接続部４ａに繋がるように形成されている。フレキシブルケーブル４の長手方向に直交するフレキシブルケーブル４の幅方向において、折返し部４ｂの幅は、端子接続部４ａの幅と等しくなっている。また、折返し部４ｂの面積は、端子接続部４ａの面積と等しくなっている。
【００３６】
第１折畳み部４ｃおよび第２折畳み部４ｄは、フレキシブルケーブル４の幅方向で端子接続部４ａに繋がるように形成されている。具体的には、フレキシブルケーブル４の幅方向における端子接続部４ａの一端に繋がるように第１折畳み部４ｃが形成され、フレキシブルケーブル４の幅方向における端子接続部４ａの他端に繋がるように第２折畳み部４ｄが形成されている。すなわち、フレキシブルケーブル４は、略Ｔ形状に形成されている。第１折畳み部４ｃには、ランド２０が形成され、第２折畳み部４ｄには、ランド２１が形成されている。
【００３７】
フレキシブルケーブル４の長手方向において、第１折畳み部４ｃおよび第２折畳み部４ｄの幅は、端子接続部４ａの幅と等しくなっている。また、第１折畳み部４ｃの面積は、端子接続部４ａの面積と等しくなっている。一方、第２折畳み部４ｄの面積は、端子接続部４ａの面積よりも小さくなっている。たとえば、第２折畳み部４ｄの面積は、端子接続部４ａの面積の１／６程度となっている。
【００３８】
端子接続部４ａは、図４（Ａ）に示すように、信号端子１６が突出する磁気ヘッド３の端子面に固定されている。具体的には、スルーホール１８に信号端子１６が挿通された状態で、接着によって、端子接続部４ａが磁気ヘッド３の端子面に固定されている。また、スルーホール１８と信号端子１６とは半田付けされている。折返し部４ｂは、図４（Ｂ）に示すように、端子接続部４ａおよび信号端子１６の端部を図４（Ｂ）の上側から覆うように折り返されて、端子接続部４ａに固定されている。また、折返し部４ｂは、接着によって端子接続部４ａに固定されている。
【００３９】
第１折畳み部４ｃは、図４（Ｃ）に示すように、図４（Ｃ）の上側から折返し部４ｂを覆うように折り返されて、折返し部４ｂに固定されている。また、第１折畳み部４ｃは、接着によって折返し部４ｂに固定されている。第２折畳み部４ｄは、図４（Ｄ）に示すように、図４（Ｄ）の上側から第１折畳み部４ｃの一部を覆うように折り返されて、第１折畳み部４ｃに固定されている。第２折畳み部４ｄが折り返されると、第１折畳み部４ｃのランド２０に第２折畳み部４ｄのランド２１が重なる。本形態では、ランド２０にランド２１が半田付けされることで、第２折畳み部４ｄが第１折畳み部４ｃに固定されている。
【００４０】
また、フレキシブルケーブル４は、図５に示すように、データ信号層２３と、断線検知信号層２４と、絶縁層２５とを備える多層構造に形成されている。フレキシブルケーブル４では、フレキシブルケーブル４の表面から裏面に向かって、絶縁層２５、断線検知信号層２４、絶縁層２５、データ信号層２３、絶縁層２５、断線検知信号層２４および絶縁層２５がこの順番に積層されている。すなわち、データ信号層２３の表面および裏面は、絶縁層２５を介して断線検知信号層２４に覆われている。
【００４１】
データ信号層２３には、媒体処理装置１が搭載される上位装置へ磁気ヘッド３からのデータ信号を伝えるデータ信号パターン２７（図６参照）が形成されている。本形態では、６本の信号端子１６に対応するように、６本のデータ信号パターン２７がデータ信号層２３に形成されている。データ信号パターン２７の一端は、スルーホール１８に電気的に繋がっている。また、図６に示すように、データ信号パターン２７の他端は、接続端子部１９に形成される磁気ヘッド信号端子２８に電気的に繋がっている。すなわち、データ信号パターン２７は、信号端子１６と磁気ヘッド信号端子２８とを電気的に繋いでいる。なお、本形態では、第１折畳み部４ｃおよび第２折畳み部４ｄのデータ信号層２３には、データ信号パターン２７は形成されていない。
【００４２】
断線検知信号層２４には、断線検知信号パターン２９、３０（図６参照）が形成されている。断線検知信号パターン２９、３０は、データ信号パターン２７へのスキミング用の信号線の取付を防止するため、断線検知信号パターン２９、３０自身が断線したことを検知するための断線検知信号を伝えている。本形態では、断線検知信号の入力側の断線検知信号パターン２９と、断線検知信号の出力側の断線検知信号パターン３０とが断線検知信号層２４に形成されている。本形態の断線検知信号パターン２９は、第１断線検知信号パターンであり、断線検知信号パターン３０は、第２断線検知信号パターンである。
【００４３】
図６に示すように、断線検知信号パターン２９の一端は、第２折畳み部４ｄのランド２１に電気的に繋がっており、断線検知信号パターン２９の他端は、接続端子部１９に形成される断線検知端子３１に電気的に繋がっている。断線検知信号パターン３０の一端は、第１折畳み部４ｃのランド２０に電気的に繋がっており、断線検知信号パターン３０の他端は、接続端子部１９に形成される断線検知端子３２に電気的に繋がっている。なお、断線検知信号パターン２９の一端がランド２０に繋がり、断線検知信号パターン３０の一端がランド２１に繋がっていても良い。
【００４４】
上述のように、ランド２０とランド２１とは半田付けされているため、断線検知端子３１と断線検知端子３２とは、断線検知信号パターン２９、３０およびランド２０、２１を介して電気的に接続されている。本形態では、断線検知端子３１を介して上位装置から入力される断線検知信号が断線検知端子３２を介して上位装置へ戻らないと、断線検知信号パターン２９、３０が断線したことが検知される。このように、本形態では、ランド２０、２１は、断線検知信号パターン２９、３０が機能するように、断線検知信号パターン２９と断線検知信号パターン３０とを繋いでいる。
【００４５】
また、上位装置に設けられたコネクタからフレキシブルケーブル４が抜けていると、上位装置からフレキシブルケーブル４へ断線検知信号が入力されず、その結果、上位装置へ断線検知信号が戻らない。そのため、本形態では、断線検知信号パターン２９、３０を利用して、コネクタからのフレキシブルケーブル４の抜けを検知することもできる。すなわち、断線検知信号パターン２９、３０は、コネクタからのフレキシブルケーブル４の抜けを検知する機能も果たしている。なお、断線検知信号パターン２９、３０は、フレキシブルケーブル４の幅方向に複数回折り返されて形成されており、全体として略網状に形成されている。
【００４６】
また、断線検知信号層２４には、短絡検知信号パターン３３（図６参照）が形成されている。短絡検知信号パターン３３は、断線検知信号パターン２９、３０と短絡検知信号パターン３３との間の短絡を検知するための短絡検知信号を伝えている。図６に示すように、短絡検知信号パターン３３の一端は、接続端子部１９に形成される短絡検知端子３４に電気的に繋がっており、短絡検知信号パターン３３の他端は、接続端子部１９に形成される短絡検知端子３５に電気的に繋がっている。なお、本形態では、第１折畳み部４ｃおよび第２折畳み部４ｄの断線検知信号層２４にも、断線検知信号パターン２９、３０および短絡検知信号パターン３３が形成されている。
【００４７】
（本形態の主な効果）
以上説明したように、本形態では、信号端子１６が挿通されるスルーホール１８が形成された端子接続部４ａを覆うように、折返し部４ｂが折り返されて端子接続部４ａに固定されている。そのため、磁気ヘッド３のヘッドケース１５から信号端子１６の他端側が突出していても、折返し部４ｂによって信号端子１６を覆うことができる。したがって、本形態では、信号端子１６へのスキミング用の信号線の取付を防止することが可能になる。また、本形態では、データ信号層２３の表面および裏面は、断線検知信号層２４によって覆われているため、犯罪者がデータ信号パターン２７へスキミング用の信号線を取り付けようとしたときに、犯罪行為が行われていることを断線検知信号パターン２９、３０を用いて検知することが可能になる。したがって、本形態では、データ信号パターン２７へのスキミング用の信号線の取付を防止することが可能になる。このように、本形態では、信号端子１６およびデータ信号パターン２７へのスキミング用の信号線の取付を防止することが可能になるため、スキミングを防止することが可能になる。
【００４８】
また、本形態では、ヘッドケース１５から信号端子１６の他端側が突出していても、スキミングを防止することが可能になるため、ヘッドケース１５から信号端子１６の他端側が突出している標準的な磁気ヘッド３（すなわち、磁気ヘッド３の汎用品）を使用しても、スキミングを防止することが可能になる。したがって、本形態では、磁気ヘッド３のコストを低減することが可能になる。また、本形態では、ヘッドケース１５から信号端子１６の他端側が突出していても、スキミングを防止することが可能になるため、スキミングを防止しつつ、信号端子１６へのフレキシブルケーブル４の接続作業が容易になる。なお、本形態では、ヘッドケース１５から信号端子１６の他端側が突出していても、スキミングを防止することが可能になるため、汎用品でない特殊な磁気ヘッド３を使用する場合には、ヘッドケース１５を小型化して、磁気ヘッド３を小型化することが可能になる。
【００４９】
本形態では、フレキシブルケーブル４の長手方向で端子接続部４ａに繋がる折返し部４ｂが、フレキシブルケーブル４の幅方向の一端側で端子接続部４ａに繋がる第１折畳み部４ｃによって覆われ、かつ、第１折畳み部４ｃの一部が、フレキシブルケーブル４の幅方向の他端側で端子接続部４ａに繋がる第２折畳み部４ｄによって覆われている。そのため、フレキシブルケーブル４の幅方向の両側において、端子接続部４ａの端面および折返し部４ｂの端面を第１折畳み部４ｃおよび第２折畳み部４ｄで覆うことができる。したがって、本形態では、フレキシブルケーブル４の幅方向の両側において、端子接続部４ａの端面と折返し部４ｂの端面との間から信号端子１６にスキミング用の信号線が取り付けられるのを防止することが可能になる。
【００５０】
特に本形態では、第２折畳み部４ｄは、第１折畳み部４ｃに半田付けされて固定されているため、第１折畳み部４ｃから第２折畳み部４ｄを容易に剥がすことができない。したがって、本形態では、フレキシブルケーブル４の幅方向の両側において、端子接続部４ａの端面と折返し部４ｂの端面との間から信号端子１６にスキミング用の信号線が取り付けられるのを効果的に防止することが可能になる。
【００５１】
本形態では、半田付けされて固定される第１折畳み部４ｃのランド２０と第２折畳み部４ｄのランド２１とによって、断線検知信号パターン２９と断線検知信号パターン３０とが繋がれている。そのため、第１折畳み部４ｃから第２折畳み部４ｄが剥がされると、断線検知信号パターン２９、３０の断線が検知される。したがって、本形態では、犯罪者による犯罪行為を早期に検知することが可能になる。
【００５２】
本形態では、断線検知信号パターン２９、３０は、フレキシブルケーブル４の幅方向に複数回折り返されて形成されており、全体として略網状に形成されている。そのため、スキミング用の信号線をデータ信号パターン２７に取り付けようとして、断線検知信号層２４を切ったときに、断線検知信号パターン２９、３０が断線しやすくなる。したがって、本形態では、犯罪者による犯罪行為を検知しやすくなる。
【００５３】
本形態では、断線検知信号層２４に、断線検知信号パターン２９、３０との間の短絡を検知するための短絡検知信号を伝える短絡検知信号パターン３３が形成されている。そのため、断線検知信号が機能しないようにするために、犯罪者が断線検知信号パターン２９、３０に所定の細工を行った場合に、短絡検知信号パターン３３の短絡検知機能によって、犯罪行為が行われていることを検知することが可能になる。すなわち、本形態では、犯罪者による犯罪行為を検知しやすくなる。
【００５４】
本形態では、断線検知信号パターン２９、３０を利用して、コネクタからのフレキシブルケーブル４の抜けを検知することが可能である。そのため、犯罪者がスキミング用の信号線をデータ信号パターン２７に取り付けようとして、フレキシブルケーブル４をコネクタから引き抜いたときに、断線検知信号パターン２９、３０の抜け検知機能によって、犯罪行為が行われていることを検知することが可能になる。したがって、本形態では、犯罪者による犯罪行為を早期に検知することが可能になる。
【００５５】
（他の実施の形態）
上述した形態および変形例は、本発明の好適な形態の一例ではあるが、これに限定されるものではなく本発明の要旨を変更しない範囲において種々変形実施が可能である。
【００５６】
上述した形態では、折返し部４ｂが端子接続部４ａを覆うように折り返されて端子接続部４ａに固定されている。この他にもたとえば、第１折畳み部４ｃが端子接続部４ａを覆うように折り返されて端子接続部４ａに固定されても良い。この場合には、第２折畳み部４ｄが第１折畳み部４ｃを覆うように折り返されて第１折畳み部４ｃに固定されるとともに、折返し部４ｂが第１折畳み部４ｃおよび第２折畳み部４ｄを覆うように折り返されて第１折畳み部４ｃおよび第２折畳み部４ｄに固定されても良いし、折返し部４ｂが第１折畳み部４ｃを覆うように折り返されて第１折畳み部４ｃに固定されるとともに、第２折畳み部４ｄが折返し部４ｂを覆うように折り返されて折返し部４ｂに固定されても良い。また、この場合には、折返し部４ｂは折り返されなくても良い。なお、この場合の第１折畳み部４ｃは、端子接続部４ａを覆うように折り返されて端子接続部４ａに固定される端子覆部である。
【００５７】
上述した形態では、第２折畳み部４ｄが第１折畳み部４ｃを覆うように折り返されて第１折畳み部４ｃに固定されている。この他にもたとえば、第２折畳み部４ｄが第１折畳み部４ｃに重ならないように、第１折畳み部４ｃが形成されるとともに、第１折畳み部４ｃと第２折畳み部４ｄとによって折返し部４ｂが覆われるように、第１折畳み部４ｃおよび第２折畳み部４ｄが折り返されて折返し部４ｂに固定されても良い。この場合の第１折畳み部４ｃおよび第２折畳み部４ｄは、端子覆部である折返し部４ｂを覆うように折り返されて折返し部４ｂに固定される外側覆部である。
【００５８】
上述した形態では、フレキシブルケーブル４は、第１折畳み部４ｃおよび第２折畳み部４ｄを備えているが、フレキシブルケーブル４は、第１折畳み部４ｃおよび第２折畳み部４ｄを備えていなくても良い。この場合には、フレキシブルケーブル４の構成を簡素化することができる。また、上述した形態では、断線検知信号層２４に、短絡検知信号パターン３３が形成されているが、断線検知信号層２４に、短絡検知信号パターン３３が形成されていなくても良い。
【００５９】
上述した形態では、磁気ヘッド３は、カード２に記録された磁気データの読取りを行うデータ再生用の磁気ヘッドである。この他にもたとえば、磁気ヘッド３は、カード２への磁気データの書込みを行うデータ記録用の磁気ヘッドであっても良いし、磁気データの読取りおよび磁気データの書込みを行うデータ再生記録用の磁気ヘッドであっても良い。
【００６０】
上述した形態では、媒体処理装置１は、ユーザが手動でカード２を装置内部に挿入するとともに装置内部から抜き取るディップ式のカードリーダである。この他にもたとえば、本発明の構成が適用される媒体処理装置は、カード２の短手幅よりも浅い溝状に形成されたカード通過路に沿って手動でカード２を移動させながらカード２の磁気データの読取りを行ういわゆるスワイプ式のカードリーダであっても良いし、カードの搬送機構を備えるカード搬送式のカードリーダであっても良い。また、本発明の構成が適用される媒体処理装置は、カードリーダ以外の装置であっても良い。
【００６１】
上述した形態では、フレキシブルケーブル４は、記録再生ヘッドとしての磁気ヘッド３に接続されているが、フレキシブルケーブル４は、データの読取りおよび／またはデータの書込みを行う磁気ヘッド３以外の記録再生ヘッドに接続されても良い。たとえば、フレキシブルケーブル４は、カード２等の記録媒体に記録されたバーコードの読取りを行う光学ヘッド（光学センサ）に接続されても良い。この場合には、バーコードデータの不正取得を防止しつつ、光学ヘッドのコストを低減することが可能になるとともに、光学ヘッドの信号端子へのフレキシブルケーブル４の接続作業を容易に行うことが可能になる。
【符号の説明】
【００６２】
１  媒体処理装置
２  カード（記録媒体）
３  磁気ヘッド（記録再生ヘッド）
４  フレキシブルケーブル
４ａ  端子接続部
４ｂ  折返し部（端子覆部）
４ｃ  第１折畳み部（外側覆部）
４ｄ  第２折畳み部（第２の外側覆部）
１６  信号端子
１８  スルーホール
２０、２１  ランド
２３  データ信号層
２４  断線検知信号層
２７  データ信号パターン
２９  断線検知信号パターン（第１断線検知信号パターン）
３０  断線検知信号パターン（第２断線検知信号パターン）
３３  短絡検知信号パターン
【図１】
0005602668.tif 000002
【図２】
0005602668.tif 000003
【図３】
0005602668.tif 000004
【図４】
0005602668.tif 000005
【図５】
0005602668.tif 000006
【図６】
0005602668.tif 000007